(57)【要約】【課題】段に被せて使用されるバリアフリー用の簡易スロープであって、車椅子での登り下りによる移動が確実に行えるようにする。【解決手段】ヒンジ３によって開閉可能に連結される一対のスロープ板２ａ、２ｂと、両スロープ板２ａ、２ｂの側端部をヒンジ近くにおいて連結するリンク４よりなり、リンク４の端は一方のスロープ板２ａに軸５により軸着され、他端部は下向きに開口する係止溝６を形成し、他方のスロープ板側端部より突設されるピン７が係止溝６に上方より嵌合係止される。【選択図】図３
2019030380.tif 000002
【特許請求の範囲】
【請求項１】
突出した段にバリアフリー化のために被せて取付けられる簡易スロープであって、登り用の第１のスロープ板と、該スロープ板にヒンジにより連結されて開閉可能である下り用の第２のスロープ板と、両スロープ板を山状に連結するリンクよりなり、該リンクは両端部のうち、少なくとも一端部が第１又は第２のスロープ板に取外可能に連結され、簡易スロープを段上に被せて取付けたとき、段と接するか或いは段上方に位置することを特徴とする簡易スロープ。
【請求項２】
前記リンクは両端部のうち、少なくとも一方の端部が両スロープ板のうちの少なくとも一方のスロープ板における側端部に対し、該側端部の長手方向における複数個所の連結箇所のうち、いずれか一箇所に止着手段によって止着されることを特徴とする請求項１記載の簡易スロープ。
【請求項３】
前記リンクの両端部のうちの少なくとも一方の端部と、両スロープ板のうちの少なくとも一方のスロープ板の側端部のうち、一方には長孔が形成され、他方には前記長孔に差込まれるボルト手段と、長孔より突出するボルト手段に捩じ込まれるナット手段よりなることを特徴とする請求項１記載の簡易スロープ。
【発明の詳細な説明】
【技術分野】
【０００１】
本発明は、段差がある箇所の段に段差解消のため取外し可能に取付けられるバリアフリー用の簡易スロープに関する。
【背景技術】
【０００２】
近年、公共施設ではバリアフリー化が進み、高齢者や障害者等の車椅子での移動が介助を要することなくスムースに行えるようになっている所が多いが、段差のある場所も依然として残っており、とくに家では入口、玄関、風呂、敷居等で段差が数多く見られる。
【０００３】
バリアフリー化されていない場所において、段差を解消してバリアフリー化する方法としては、段差に簡易スロープを架け渡す方法が知られ（特許文献１）、携行に便利なように折りたたみ可能にした簡易スロープも知られる（特許文献２）。
【先行技術文献】
【特許文献】
【０００４】
【特許文献１】特開２０１１−１１０３７１号
【特許文献２】特開２００５−３４２０１６号
【発明の概要】
【発明が解決しようとする課題】
【０００５】
上述する従来の簡易スロープは持ち運びが可能で、簡単に設置して段差を解消することができ、不要なときには取り外すことができるが、段が例えば古い家屋の敷居のように突出している場合、簡易スロープとしては登り用と下り用の二枚の簡易スロープを必要とするうえ、二枚の簡易スロープを互いに干渉しないように段の両側より段に浅く掛けると、簡易スロープを登り降りするときに簡易スロープが段より外れ易くなるし、互いの簡易スロープが段上で突き当たるようにして段に深く掛けたとしても、突き当たり部分の頂部を車椅子等で移動する際、簡易スロープが跳ね上がり易く段を乗り越えるのが困難となる。
【０００６】
本発明は、上記の問題を解消し、突出した段をバリアフリー化できるようにするために段に取付けられる簡易スロープを提供することを目的とする。
【課題を解決するための手段】
【０００７】
請求項１に係る発明は、突出した段にバリアフリー化のために被せて取付けられる簡易スロープであって、登り用の第１のスロープ板と、該スロープ板にヒンジにより連結されて開閉可能である下り用の第２のスロープ板と、両スロープ板を山状に連結するリンクよりなり、該リンクは両端部のうち、少なくとも一端部が第１又は第２のスロープ板に取外可能に連結され、簡易スロープを段上に被せて取付けたとき、段と接するか或いは段上方に位置することを特徴とする。
【０００８】
請求項２に係る発明は、請求項１に係る発明において、前記リンクは両端部のうち、少なくとも一方の端部が両スロープ板のうちの少なくとも一方のスロープ板における側端部に対し、該側端部の長手方向における複数個所の連結箇所のうち、いずれか一箇所に止着手段によって止着されることを特徴とし、
請求項３に係る発明は、請求項１に係る発明において、前記リンクの両端部のうちの少なくとも一方の端部と、両スロープ板のうちの少なくとも一方のスロープ板の側端部のうち、一方には長孔が形成され、他方には前記長孔に差込まれるボルト手段と、長孔より突出するボルト手段に捩じ込まれるナット手段よりなることを特徴とする。
【発明の効果】
【０００９】
請求項１に係る発明によると、リンクによって山状に連結されたスロープ板は、段上に被せられて使用され、段差が解消されて山状のバリアフリー状態となって登り下りすることができる。また不使用時においては、リンク両端部のうちの少なくとも一端部をスロープ板より取外すことにより、両スロープを閉じて折りたたむことができ、持ち運びが容易で、保管スペースを少なくすることができる。
【００１０】
請求項２に係る発明によると、段の高さに合わせてリンク一端部の止着位置を変えることにより、両スロープ板が連結される角度を変え、段に被せたとき、リンクを段に接触させるか、或いは近付けることができ、これにより例え車椅子等がその上を移動する場合であっても、両スロープ板が連結される頂部を乗り越えるときに剛性が不十分で、撓んだとしても、リンクが頂部に接触して支持されることにより安定した移動が可能となる。
【００１１】
請求項３に係る発明によると、両スロープ板が連結される角度を無段階に変えることができ、したがって段の高さに合わせてリンクを段に接触させ支持させた状態で段に被せることができる。
【図面の簡単な説明】
【００１２】
【図１】本発明に係る簡易スロープの斜視図。
【図２】図１に示す簡易スロープの要部の拡大図。
【図３】図１に示す簡易スロープの使用状態を示す側面図。
【図４】別の実施形態の要部の拡大図。
【図５】更に別の実施形態の要部の拡大図。
【図６】更に別の実施形態の要部の拡大図。
【図７】他の実施形態の要部の拡大図。
【発明を実施するための形態】
【００１３】
以下、本発明の実施形態の簡易スロープについて図面により説明する。
図１は、本発明の実施形態に係る簡易スロープ１を示すもので、一対のスロープ板２ａ、２ｂがヒンジ３によって開閉可能に連結され、一方のスロープ板２ａは登り用の第１のスロープ板、他方のスロープ板２ｂは下り用の第２のスロープ板となっている。ここで第１及び第２のスロープ板２ａ、２ｂは同形同大となっているが、一方が他方より長くなっていてもよい。
【００１４】
両スロープ板２ａ、２ｂは前後両側において、ヒンジ近くの側端部がリンク４によりそれぞれ連結され固定されている。このリンク４は図２に示すように、一端部が一方のスロープ板２ａのヒンジ寄りの側端部に軸５により回動可能に軸着される一方、他端部には下向きに開口した係止溝６が形成され、該係止溝６を他方のスロープ板２ｂの側端部に突設されるピン７に上方より係脱可能に嵌合係止させてスロープ板２ａ、２ｂを山状に連結している。
【００１５】
リンク４によるスロープ板２ａ、２ｂの連結は、両スロープ板２ａ、２ｂの前後において行われ、これにより山状に固定された簡易スロープ１は、その上を車椅子等で登り降りしても支障がなく、十分な強度を有するように構成されている。
【００１６】
図３は、使用状態の簡易スロープ１を示すもので、スロープ板２ａ、２ｂをリンク４により山状に連結した状態で段８上に被せられている。不使用時においては、リンク４を軸５を中心に図の反時計方向に回動させて係止溝６をピン７より離脱させ、リンク４をフリーにした状態でスロープ板２ａ、２ｂを閉じ、二つ折りに折りたたむ。図中、９は簡易スロープ１を運搬する際に用いられる取手である。
【００１７】
前記実施形態では係止溝６は下向きに開口しているため、使用時に簡易スロープ１に荷重が掛かってもピン７は係止溝６に食い込むように作用し、係止溝６から抜けることはないが、係止溝６を鉤状に形成し、嵌挿されたピン７が容易に抜け出さないように構成することも可能である。
【００１８】
前記実施形態ではまた、リンク４は一端部が一方のスロープ板２ａの側端部に軸５により回動可能に軸着されているが、他端部と同様、係止溝６を形成し、該係止溝６に一方のスロープ板側端部より突設されるピン７を嵌合係止させるようにしてもよい。要するにリンク４の両端部に係止溝６を形成し、各係止溝６にスロープ板２ａ、２ｂの側端部に突設されるピン７をそれぞれ嵌合係止させるようにしてもよい。
【００１９】
前記実施形態では更にまた、係止手段としてリンク他端部７に係止溝６を嵌合係止させるようにしているが、別の実施形態では、図４に示すようにリンク他側部に形成される係止溝６が複数、適当間隔で形成され、係止溝６と共に係止手段を構成するピン７が係止溝６のいずれかに嵌合させて連結される。
【００２０】
本実施形態によると、ピン７に嵌合する係止溝６を選択することにより山状をなして連結される両スロープ板２ａ、２ｂの角度が、段８の高さに合わせて、或いは段両側のスペースに合わせて数段階で変えることができ、段８の高さに合わせて両スロープ板２ａ、２ｂの角度を変えることによりリンク４を段８に接触ないし、接近させ、使用時に簡易スロープ１に荷重が掛かって撓んでもリンク４が段８に当たることにより支持され、これにより簡易スロープ１のそれ以上の変形が防止され、車椅子で移動する場合でも簡易スロープ上を安定して移動することができる。
【００２１】
図４に示す実施形態では、リンク他側部に係止溝６が複数か所形成され、そのうちの一つにピン７が嵌合係止されるようになっているが、別の実施形態では図５に示すように、リンク他側部に嵌合孔１１が複数、リンク７に沿って適当間隔で形成される一方、スロープ板側端部にネジ１２が突設され、嵌合孔１１のいずれかに嵌合されたネジ１２の突出端部にナット１３が捩じ込んで止着される。
【００２２】
本実施形態においては、前記ネジ１２及びナット１３が嵌合孔１１と共に止着手段を構成する。なお本実施形態においては、ネジ１２に代えてピンを用い、該ピンを嵌合孔１１のいずれかに嵌合させるようにしてもよい。
【００２３】
図６に示す実施形態では、リンク４に１つの嵌合孔が形成される一方、スロープ板側端部にネジ孔１５が複数、スロープ板側端部の長手方向に適当間隔で形成され、嵌合孔及びネジ孔１５と共に止着手段を構成するボルト１６が前記嵌合孔を通してネジ孔１５のいずれかに捩じ込んで止着される。本実施形態においてもボルト１６に代えてピンを用い、該ピンを嵌合孔とネジ孔１５に通すようにしてもよいし、ピンを別個に設ける代わりにリンク４に突出形成してもよい。
【００２４】
図７に示す実施形態では、リンク４に長孔１８がリンク長手方向に形成され、スロープ板側端部に突設されるネジ手段としてのネジ１９が長孔１８に通され、長孔１８よりの突出端部にナット手段としてのナット２０が捩じ込んで締着されるようになっている。
【００２５】
本実施形態においては、スロープ板２ａ、２ｂの角度が無段階に変えられる。
本実施形態において、ネジ１９やナット２０に代えてボルトを用い、該ボルトを長孔１８に通してスロープ板側端部に捩じ込むようにしてもよい。
【符号の説明】
【００２６】
１・・簡易スロープ
２ａ、２ｂ・・スロープ板
３・・ヒンジ
４・・リンク
５・・軸
６・・係止溝
７・・ピン
８・・段
９・・取手
１１・・嵌合孔
１２、１９・・ネジ
１３、２０・・ナット
１５・・ネジ孔
１６・・ボルト
１８・・長孔
【図１】
2019030380.tif 000003
【図２】
2019030380.tif 000004
【図３】
2019030380.tif 000005
【図４】
2019030380.tif 000006
【図５】
2019030380.tif 000007
【図６】
2019030380.tif 000008
【図７】
2019030380.tif 000009